(57)【要約】【課題】  伝書鳩確認システムを実施すること。【解決手段】    本システムは、少なくとも１つの参加登録装置と、鳩用電子リングと、ホーム鳩舎内の少なくとも１つの検出装置とを備える。鳩用電子リングは、参加登録装置に接触せずに読込および書込みが可能であり、検出装置に接触せずに読込可能なメモリを有するトランスポンダを備える。検出装置は、読込装置と、タイマと、読込まれたトランスポンダ・データおよびそれにリンクした到着時刻によって書込み可能なメモリを備える。加えて、該検出装置は、少なくとも１台の電子カメラに接続されており、帰還した伝書鳩の画像をそのカメラを使用し記録可能であり、検出装置のメモリは記録された伝書鳩の画像データを追加的に書込み可能である。【選択図】  図１
2005182827.tif 000002
【特許請求の範囲】
【請求項１】
少なくとも１つの参加登録装置、鳩用電子リング、およびホーム鳩舎内の少なくとも１つの検出装置、を備え、
該鳩用電子リングは、該参加登録装置に接触することなしに読込み可能および書込み可能で、該検出装置に接触することなしに読込み可能なメモリを有するトランスポンダと、
読込装置と、タイマと、メモリとを包含し、該読込みトランスポンダ・データ並びにそれにリンクした到着時間により書込み可能な、該検出装置と、を備える伝書鳩確認システムであって、
該検出装置は、少なくとも１台の電子カメラに更に接続され、それを使用して、伝書鳩の帰還のカメラ画像を記録可能であり、該検出装置の該メモリは、該記録された伝書鳩の該画像データにより更に書込み可能であることを特徴とする、伝書鳩確認システム。
【請求項２】
前記検出装置の前記メモリは、前記到着時間にリンクした前記画像データにより書込み可能であることを特徴とする、請求項１に記載の伝書鳩確認システム。
【請求項３】
前記検出装置は、暗号システムを備え、それを使用して、前記トランスポンダ・データ、到着時間、および画像データは互いに不可分にリンクされ得ることを特徴とする、請求項１又は２に記載の伝書鳩確認システム。
【請求項４】
前記検出装置は、衛星ナビゲーションシステムから受信したデータからの地理座標の統合分析装置を更に備え、前記検出装置の前記メモリは、該地理座標により更に書込み可能であることを特徴とする、請求項１から３のいずれかに記載の伝書鳩確認システム。
【請求項５】
前記暗号システムを使用することにより、前記トランスポンダ・データ、到着時間、画像データ、および地理座標は互いに不可分にリンクされ得ることを特徴とする、請求項４に記載の伝書鳩確認システム。
【請求項６】
前記少なくとも１台のカメラは、バスシステム又は無線インターフェイスを経由して前記検出装置に接続されていること
を特徴とする、請求項１から５のいずれかに記載の伝書鳩確認システム。
【請求項７】
前記カメラは、前記読込み装置の読込アンテナを装着する着陸板の上に配置されたホルダーに取付け可能であることを特徴とする、請求項１から６のいずれかに記載の伝書鳩確認システム。
【請求項８】
前記ホルダー上の前記カメラは、前記着陸板に既に向けられていることを特徴とする、請求項７に記載の伝書鳩確認システム。
【請求項９】
照明装置が前記ホルダーに取付け可能であること
を特徴とする、請求項７又は８に記載の伝書鳩確認システム。
【請求項１０】
読込アンテナとそれに向けられているカメラを装備している複合着陸板がある場合、前記着陸板は、読込アンテナとカメラとの間の自動的割当を行うための光学的手段を備えることを特徴とする、請求項１から９のいずれかに記載の伝書鳩確認システム。
【請求項１１】
読込アンテナとそれに向けられているカメラを装備している複合着陸板がある場合、時間スタンプメーターが設置され、
該時間スタンプメーターは、画像データを時間スタンプにリンクするために、トランスポンダ・データを時間スタンプおよび／または前記カメラにリンクするために前期読込アンテナが割当てられており、
時間スタンプおよび／または時間スタンプにリンクした前記画像データにリンクした前記トランスポンダ・データは、更にタイムメータおよびメモリに書込まれたリアルタイムもしくは相対時間スタンプにリンクし得ることを特徴とする、請求項１から１０のいずれかに記載の伝書鳩確認システム。
【請求項１２】
トランスポンダ・データが時間スタンプにリンクされ、画像データが時間スタンプにリンクしている場合、前記トランスポンダ・データ及び画像データは、  時間スタンプおよび前記割当てられたトランスポンダー・データを経由して割当てられ得、画像データは、共同で時間メータおよびメモリに書込まれたリアルタイムもしくは相対時間スタンプにリンクされ得ることを特徴とする、請求項１１に記載の伝書鳩確認システム。
【請求項１３】
前記検出装置は、インターフェイスを備え、それを経由して前記メモリに記憶された前記データは、クラブの参加登録装置および／または飼育者のモーバイルデータ端末に送信し得ることを特徴とする、請求項１から１２のいずれかに記載の伝書鳩確認システム。
【発明の詳細な説明】
【技術分野】
【０００１】
本発明は、請求項１の前提部による伝書鳩確認システムに関する。
【背景技術】
【０００２】
伝書鳩確認システムは、ごまかし操作（ｍａｎｉｐｕｌａｔｉｏｎ）に対して安全な方法で、必要飛翔時間に関連して放鳩位置とホーム鳩舎との間の距離を通過した飛翔速度を決定するために、飛翔競争で使用する伝書鳩の到着時刻を検出する目的で使用される。この大きさは、使用する伝書鳩の場所を決定する。
【０００３】
典型的には、伝書鳩を使用している飛翔競争は、以下の通りに実行される。各々の飼育者は鳩用電子リングを装着した自分の伝書鳩をクラブハウスに移送し、そこで、伝書鳩は飛翔競争に「参加登録（ｅｎｔｅｒｅｄ）」される。足に鳩用電子リングを装着した伝書鳩は、次々に導かれて参加登録装置のアンテナを通過し、参加登録は、参加登録装置に接触せずに行われる。その結果、トランスポンダ・データは読込まれおよび／または交換されならびに記憶され得る。
【０００４】
その後、参加登録済みの伝書鳩は「籠に入れられる（ｃｒａｔｅｄ）」、すなわち、移送用ケージに入れられて、輸送車を使用してスタート位置に運ばれる。スタート位置（放鳩位置とも呼ばれている）で、伝書鳩は、「放鳩される（ｒｅｌｅａｓｅｄ）」。この場合、全ての移送ケージは、スタート時間に補助者によってまたは機械装置によって同時に開かれ、その結果全ての伝書鳩は移送ケージを出発し、ホーム鳩舎に向けて飛翔を開始し得る。
【０００５】
ホーム鳩舎へ到着すると伝書鳩は確認される、すなわち、伝書鳩の到達時刻は、鳩用電子リングのリング番号にリンクされて検出され、記憶される。これは、飼育者の検出装置と接触しないで実行され、検出装置の読込アンテナは、ホーム鳩舎の到着領域に配置されており、帰還した伝書鳩が到着領域を通過するとトランスポダ・データを読み込む。
【０００６】
その後、飼育者は、帰還した伝書鳩の確認データをクラブの参加登録装置に発信する。これは、長距離データ転送を通じてまたは検出装置あるいは少なくともモーバイルメモリをクラブの参加登録装置に輸送することおよび位置データを送信することによって達成し得る。最後に、クラブのデータの全てはクラブ自体によってまたは他の競争しているクラブと共に分析され、着順が決定される。
【０００７】
全ての飼育者がスタート金を払うので、最高位の伝書鳩の飼育者はそのお金の中から高い勝利懸賞金を獲得する上、かれらの鳩は高く評価される。そのため、順位がより低い伝書鳩の飼育者は、最後に高い勝利賞金ボーナスを一度だけは獲得しようとして、ごまかし操作へ誘惑される。これらのごまかし操作は、ホーム鳩舎の検出装置に実際に到着したより早めに伝書鳩が到着したようにみせかけることを目的としている。
【０００８】
飼育者がクラブの参加登録装置で自身で自分の伝書鳩を参加登録することが可能な場合、飼育者は、例えば、自分自身の身体に隠して鳩用電子リングを運び、伝書鳩と共にリングを参加登録アンテナの近くに持ってくることができ、その結果、伝書鳩の足に鳩用電子リングが装着されていなくても、参加登録装置はトランスポンダのメモリからデータを読出し、参加登録装置のメモリにそれを書き込み得る。
【０００９】
後に、飼育者は、ホーム鳩舎で検出装置の読込アンテナの近くで鳩用電子リングを手動で移動させることができ、想定された記録時間内に彼の伝書鳩が到着したように見せかけることができる。
【００１０】
飼育者が、最早自分自身の伝書鳩を参加登録できず、むしろ他人の伝書鳩だけを参加登録でき得るようにすることで、このごまかし操作の可能性は避けることができる。しかし、これは悪意ある飼育者が可能な気に入りの伝書鳩に影響力を及ぼし、参加登録中にその鳩が飛翔競争に参加することを阻止するために、鳩を意図的に傷つけるかまたは殺害さえすることになり得る。
【００１１】
飼育者がクラブの参加登録装置で自身の伝書鳩を参加登録でき得ない場合、飼育者は、参加登録済みの伝書鳩のトランスポンダ・データのコピーを有する同一の第２の伝書鳩用電子リングのトランスポンダ・メモリを書込もうと試み得、次にこの第２リングをホーム鳩舎の検出装置の読込アンテナへ手動で持って来ることができる。このような方法で、飼育者は、想定された記録時間内に自身の伝書鳩が到着したようにみせかけ得る。
【００１２】
このようなごまかし操作の試みに対抗し、多数の手段が開発されており、それによってコピーを作ることはより困難になっている、例えば、鳩用電子リングのデータの暗号化、読込チェックおよび変更再書き込みまたは識別である。しかし、これらの手段は参加登録装置、鳩用電子リングおよび検出装置、並びに参加登録と検出中のデータの送信時間に関してのソフトウェアおよびハードウェアの出費を増加させる。従って、経済的及び技術的制限がここに設定される。
【００１３】
ある国における伝書鳩移動規則もまた、付加的な検査を課す。例えば、オランダの飼育者は、伝書鳩の到着の後１０分間以内に電話で鳩の到着をクラブに連絡しなければならない。このような方法で、ごまかし操作の疑惑がある場合、飼育者の報告に対する最新の検査が可能である。台湾においては、飼育者は、伝書鳩の帰還を証明するために、伝書鳩の到着の後１０分間以内にクラブハウスに鳩を持って行くことさえしなければならない。
【発明の開示】
【発明が解決しようとする課題】
【００１４】
本発明は、請求項１の前提部に基づく伝書鳩確認システムを実施することを目的にしており、ごまかし操作の試みに対しより確実である。
【課題を解決するための手段】
【００１５】
この目的は、請求項１の前文に基づく伝書鳩確認システムに対し、本願請求項の特長部によって成し遂げられる。
【００１６】
改良および有利な実施形態は、下位請求項から生じる。
【００１７】
本発明は、鳩用電子リングに加え、有効な確認データが伝書鳩自身がホーム鳩舎の到着領域を通過するという証拠を含まなければならない場合、前述のごまかし操作を行うことはより困難になるという考慮に基づいている。これは、伝書鳩の追加画像データを付加することにより達成でき、次に、その画像は登録済みの伝書鳩の画像データーとクラブにおいて比較し得る。伝書鳩は、羽毛と眼の色に基づき独自に区別し得るので、画像は識別に適した可能手段である。
このことはまた、ホーム鳩舎に到着したことの証拠としてクラブハウスに直に輸送することを不必要にし得る。
【００１８】
検出装置は、好ましくは暗号化システムを備え、それを使用することによりトランスポンダ・データと、到着時刻と、画像データとが互いに不可分にリンクされ得る。
【００１９】
このように、個々のデータをその後置換することまたは処理することにより、ごまかし操作を試みることは更に困難になる。
【００２０】
更にまた、検出装置は、付加的に衛星サテライトシステム受信データからの地理座標の分析装置を一体的に具備し得て、検出装置のメモリは追加的に地理座標によって書込み可能であり得る。
【００２１】
地理座標の付加的な考慮は、こまかし操作をすることを更に困難にする。例えば、ホーム鳩舎に加えて少し離れて第２の鳩舎を維持する飼育者がいる。第２鳩舎が主鳩舎より放鳩位置に近い場合、飼育者は第２鳩舎からの伝書鳩を使用し得るが、クラブには主鳩舎からの伝書鳩であると識別確認し得る。この種のごまかし操作は、伝書鳩の帰還が検出された位置の地理座標も合わせ登録されている場合にのみ発見できる。仮にその位置がホーム鳩舎ではなく第２鳩舎の場合、その座標は自動的にホーム鳩舎の座標ではないことを区別をする。
【００２２】
この補助データはまた、暗号化システムによって残りのデータに不可分にリンクされ得、その結果、データの交換または後の処理及び変更はより難しくなる。
【００２３】
さらにまた、少なくとも１台のカメラが、バス・システムあるいは無線インターフェイスを経て検出装置に結合し得る。
【００２４】
このような方法で、商業的に入手可能な構成要素（例えばウェブ・カメラ）を使うことができ、その画像データは、読込アンテナを経由した読込トランスポンダ・データとして、同じように検出装置に供給され、そしてこのデータは、全てが最新の方法で互いにリンクされ得る。
【００２５】
同じ読込装置の多重読込アンテナおよびカメラの場合、このことは、生成および／または一時的記憶の間、タイムスタンプを有する画像データを提供することによって、さらに読込みおよび／または一時的記憶の際、タイムスタンプを有するトランスポンダ・データを提供することによって、および、最後に、同一であるか類似したタイムスタンプを経て画像データとトランスポンダ・データとをリンクすることによって達成され得る。タイムスタンプは、相対時間スタンプまたはリアルタイム・スタンプであり得る。相対時間スタンプの場合、タイマによって提供されるリアルタイム・スタンプとも関連がある。画像データとタイムスタンプとを結合することにより、多数の個々の画像でできている画像列は、トランスポンダ・データの読込まれた瞬間の時間の正しい順序に割り当てられ得る。
【００２６】
好ましくは、カメラは、検出装置の読込アンテナを装着する着陸板に配置されるホルダーに取付け可能である。
【００２７】
この装置によって、カメラの装着と位置決めは容易になり、加えて、均一の受信方向と均一の受信距離が予め定められ、その結果、参加登録済の伝書鳩の差別化基準は信頼可能で再現可能に検出され、画像データは均一な画像を示し、より良く比較し得る。
【００２８】
ホルダー上のカメラは、好ましくはすでに着陸板に向けられている。
【００２９】
これは、飼育者が取り付けることを容易にし、検出瞬間の画像は伝書鳩の差別化基準を実際に含むことを確実にする。この場合、ホルダーは、到着領域の太陽に向かった配列に従ってカメラを配置するように着陸板の両側に位置し得、その結果、画像は直接入射日光によって損なわれない。
【００３０】
更にまた、照明装置が、ホルダーに取り付け得る。
【００３１】
これによって、薄明の中や、直射日光又は天候の影響からより良く保護されるためにカメラがホーム鳩舎内に設置されていても、完全な画像を生成するために画界を照明することができる。
【００３２】
多重着陸板に読込アンテナとそれに向けたカメラが装備されている場合、その着陸板は、読込アンテナとカメラとの間を割当てる光学手段を含み得る。
【００３３】
このように、飼育者に取って据付けおよびセットアップが単純化される。何故なら、読込アンテナとカメラとの割当ては、検出装置によって自動的に達成し得るからである。
【００３４】
加えて、カメラはシリアルバスを経て検出装置に接続して使用し得、ダイナミック・アドレスを含み得る。この種のカメラにおいて、カメラが向いている読込アンテナに対する固定の割当ては与えられず、カメラの割当ては、それ故、伝書鳩確認システムの各々のスタートに対し再び検出されなければならない。
【００３５】
従って、本発明は、以下を提供する。
１．少なくとも１つの参加登録装置、鳩用電子リング、およびホーム鳩舎内の少なくとも１つの検出装置、を備え、
該鳩用電子リングは、該参加登録装置に接触することなしに読込み可能および書込み可能で、該検出装置に接触することなしに読込み可能なメモリを有するトランスポンダと、
読込装置と、タイマと、メモリとを包含し、該読込みトランスポンダ・データ並びにそれにリンクした到着時間により書込み可能な、該検出装置と、を備える伝書鳩確認システムであって、
該検出装置は、少なくとも１台の電子カメラに更に接続され、それを使用して、伝書鳩の帰還のカメラ画像を記録可能であり、該検出装置の該メモリは、該記録された伝書鳩の該画像データにより更に書込み可能であることを特徴とする、伝書鳩確認システム。
２．  前記検出装置の前記メモリは、前記到着時間にリンクした前記画像データにより書込み可能であることを特徴とする、項目１に記載の伝書鳩確認システム。
３．  前記検出装置は、暗号システムを備え、それを使用して、前記トランスポンダ・データ、到着時間、および画像データは互いに不可分にリンクされ得ることを特徴とする、項目１又は２に記載の伝書鳩確認システム。
４．  前記検出装置は、衛星ナビゲーションシステムから受信したデータからの地理座標の統合分析装置を更に備え、前記検出装置の前記メモリは、該地理座標により更に書込み可能であることを特徴とする、項目１から３のいずれかに記載の伝書鳩確認システム。
５．  前記暗号システムを使用することにより、前記トランスポンダ・データ、到着時間、画像データ、および地理座標は互いに不可分にリンクされ得ることを特徴とする、項目４に記載の伝書鳩確認システム。
６．  前記少なくとも１台のカメラは、バスシステム又は無線インターフェイスを経由して前記検出装置に接続されていること
を特徴とする、項目１から５のいずれかに記載の伝書鳩確認システム。
７．  前記カメラは、前記読込み装置の読込アンテナを装着する着陸板の上に配置されたホルダーに取付け可能であることを特徴とする、項目１から６のいずれかに記載の伝書鳩確認システム。
８．  前記ホルダー上の前記カメラは、前記着陸板に既に向けられていることを特徴とする、項目７に記載の伝書鳩確認システム。
９．  照明装置が前記ホルダーに取付け可能であること
を特徴とする、項目７又は８に記載の伝書鳩確認システム。
１０．  読込アンテナとそれに向けられているカメラを装備している複合着陸板がある場合、前記着陸板は、読込アンテナとカメラとの間の自動的割当を行うための光学的手段を備えることを特徴とする、項目１から９のいずれかに記載の伝書鳩確認システム。
１１．  読込アンテナとそれに向けられているカメラを装備している複合着陸板がある場合、時間スタンプメーターが設置され、
該時間スタンプメーターは、画像データを時間スタンプにリンクするために、トランスポンダ・データを時間スタンプおよび／または前記カメラにリンクするために前期読込アンテナが割当てられており、
時間スタンプおよび／または時間スタンプにリンクした前記画像データにリンクした前記トランスポンダ・データは、更にタイムメータおよびメモリに書込まれたリアルタイムもしくは相対時間スタンプにリンクし得ることを特徴とする、項目１から１０のいずれかに記載の伝書鳩確認システム。
１２．  トランスポンダ・データが時間スタンプにリンクされ、画像データが時間スタンプにリンクしている場合、前記トランスポンダ・データ及び画像データは、  時間スタンプおよび前記割当てられたトランスポンダー・データを経由して割当てられ得、画像データは、共同で時間メータおよびメモリに書込まれたリアルタイムもしくは相対時間スタンプにリンクされ得ることを特徴とする、項目１１に記載の伝書鳩確認システム。
１３．  前記検出装置は、インターフェイスを備え、それを経由して前記メモリに記憶された前記データは、クラブの参加登録装置および／または飼育者のモーバイルデータ端末に送信し得ることを特徴とする、項目１から１２のいずれかに記載の伝書鳩確認システム。
【発明を実施するための最良の形態】
【００３６】
以下において、本発明は、図示の実施形態の例示によってより詳細に示されている。
【００３７】
伝書鳩確認システムのホーム鳩舎の構成部分は検出装置１０を含み、その１つのインターフェイス１２には多連装の読込アンテナ１４、１４’、１４’’、１４’’’が接続され、そのもう１つのインターフェイス１６には、多連装のカメラ１８、１８’、１８’’、１８’’’が接続されている。
【００３８】
検出装置１０自体は、メモリ２２を有するコンピュータ２０と、送受信構成部分２４と、読込アンテナ１４、１４’、１４’’、１４’’’のためのマルチプレクサ２６と、タイマー２８と、衛星ナビゲーションシステムの受信データからの地理座標の分析装置３０とを含む。衛星ナビゲーションシステムの複雑なデータにはまた、クロックタイムが含まれるので、リアルタイム・スタンプを提供する個別のタイマがまた不可欠であり得、地理座標の分析装置３０がこの作業を引き受け得る。タイマー２８および分析装置３０は一体的に検出装置１０に配置され、その結果、ごまかしを行うことは相当に難しくなる。衛星アンテナだけは、外部的に配置される。個々の構成部分の制御に加えてコンピュータ２０は、暗号化およびメモリ２２に書き込まれる全てのデータの結合を引き受け得る。
【００３９】
メモリ２２のデータをクラブの参加登録装置に送信するために、インターフェイス５０が設けられている。これを経由し、メモリ２０のデータは、長距離データ伝送を経てあるいは読込装置１０全体を直接データ発信のために持ち込むことによって、クラブの参加登録装置に送信し得る。第３の可能性は、インターフェイス５０を経由してモバイルメモリ５２にデータを読み込み（ｌｏａｄ）、次にクラブに運んだ後にデータを参加登録装置に出力することである。しかし、インターフェイス５０はまた、飼育者がホーム鳩舎にいない場合飼育者のモーバイルデータ端末に通信ネットワークを通じデータを発信するために使用され得る。最後に、検出装置１０はまた、検出され、記憶されたデータの視覚表示のためのディスプレイ装置３２を有している。
【００４０】
図１の例示的な実施の形態において、４つの読込アンテナ１４、１４’、１４’’、１４’’’が備えられている。それらはまた、それらの間で検出装置が交互にスイッチ操作をする２つのループを有するダブルアンテナとして実施し得るが、各ループは１つの到着穴に割り当てられているだけである。図１において示されるインターフェイス１２を経た接続可能性に加えて、アクティブ要素（Ａｃｔｉｖｅ  Ｃｏｍｐｏｎｅｎｔｓ）を有する読込アンテナは、また、シリアルバスシステムを経てインターフェイス４８に結合され得る。それらのアクティブ要素を有する読込アンテナは、自分自身のタイムスタンプを生成し、それがコンピュータ２０に発信される前にトランスポンダ・データとリンクし得、そして再び、タイマー２８のリアルタイムデータもしくは、衛星信号から得られた分析装置３０のリアルタイムデータにリンクされ得る。
【００４１】
読込アンテナ１４、１４’、１４’’、１４’’’に加え、光学的手段３４、３４’、３４’’、３４’’’（この場合ＬＥＤ）も到着板に配置されて、仮に多重カメラが使用される場合には、特定の読込みアンテナに対するカメラの役割を可能にするために、システムがセットアップされている場合、読込アンテナを読み込む瞬間にそれらは順次活性化される。
【００４２】
４台のカメラは、ハブ３６およびＵＳＢインターフェイスを経由し読込装置１０へ接続されている。この場合同様に、画像データは、カメラ１８、１８’、１８’’、１８’’’および／またはカメラ１８、１８’、１８’’、１８’’’の暫定ストレージもしくはハブ３６における生成の際、自身のタイムスタンプにリンクしている。読込アンテナの記載は、それらタイムスタンプの処理に類似的に適用される。タイムスタンプは、シリアルバス上の時間遅延もしくはデータ処理を考慮にいれ、確認の間のリアルタイム値を特定することができるように計算しなおす目的で使用される。
【００４３】
加えて、照明システムの光源３８、３８’、３８’’、３８’’’も設備することができ、その照明は伝書鳩の帰還を検出すると点灯され得、適切に照明された画像を得ることができる。
【００４４】
伝書鳩の帰還を確認する読込装置をセットアップするために、まず、読込アンテナ１４、１４’、１４’’、１４’’’に対するカメラ１８、１８’、１８’’、１８’’’の割り当てがされる。これは、コンピュータ２０により制御されたセットアップモードによって達成され、光学的手段３４、３４’、３４’’及び３４’’’は順に点灯され、カメラ画像は次に光学手段によって映しだされているその画像データに基づいて識別され、それによりカメラが向いている読込アンテナと自動的にリンクされる。
【００４５】
あるいは、この手続きは電子リングを有するダミー鳩が、飼育者によって次から次に読込アンテナに向かって移動されることにより手動によってでも達成できる。関連する読込アンテナは、次に読込手続きにより識別され、ダミー鳩が居ようが居まいがカメラ画像の比較でカメラはそれが向いている関連する読込アンテナに手動で割り当てられる。その後、読込装置は、準備が整う。
【００４６】
伝書鳩が競争飛翔の後帰還する場合、トランスポンダ・データが鳩用電子リングのトランスポンダの電磁カップリングを経由して、適切なアンテナにより検出され、コンピュータに一時的に記憶されるように鳩が到着領域を通過する場合に確認が達成される。この場合同時に、地理的データと、クロックタイムと、日付もまた検出され、一時的に記憶される。更に、カメラによって撮影された画像がタイムスタンプ付きで提供され一時的に記憶される。
【００４７】
続いて、全てのデータは、次にコンピュータ２０によって不可分に互いにリンクされるかまたは暗号化されて、メモリ２２に書込まれる。それから、データは、既に前述したインターフェイス５０を通過しクラブの参加登録装置へおよび／または飼育者のモバイルデータ端末へ送信され得る。参加登録済の伝書鳩の画像もまた、クラブの参加登録装置あるいはクラブの他の記憶メディアに記憶され、帰還確認された伝書鳩の通信内容と参加登録済みの伝書鳩の比較が可能である。
【００４８】
図２は、グラフィックインタフェース上の全てのデータの考えられる表示を示す。カメラにより撮影された伝書鳩の画像において、以下のデータは画像の４隅にオーバーレイ（ｏｖｅｒｌａｙ）される：フィールド４０に示されるホーム鳩舎の地理座標、フィールド４２に示される飛翔番号または放鳩位置、たとえば伝書鳩の識別番号、鳩リング番号、伝書鳩の協会番号（ａｓｓｏｃｉａｔｉｏｎ  ｎｕｍｂｅｒ）などのフィールド４４に示されるトランスポンダ・データ、フィールド４６に示される伝書鳩の到着時刻および到着日である。
【図面の簡単な説明】
【００４９】
【図１】伝書鳩確認システムのホーム鳩舎の構成部分のスキマティックな構成を示す図である。
【図２】グラフィックインタフェース上の全てのデータの考えられる表示を示す図である。
【符号の説明】
【００５０】
１０  検出装置
１２  インターフェイス
１４、１４’、１４’’、１４’’’  読込アンテナ
１６  インターフェイス
１８、１８’、１８’’、１８’’’  カメラ
２０  コンピュータ
２２  メモリ
２４  送受信構成部分
２６  マルチプレクサ
２８  タイマー
３０  分析装置
【図１】
2005182827.tif 000003
【図２】
2005182827.tif 000004